(57)【要約】【課題】伝導体上に差動信号を送信するための送信機と、データを伝達するために差動信号のコモンモード電圧を選択的に変調するためのカレントモード回路とを有する集積回路を提供する。【解決手段】一実施形態において、システムは、伝導体上に第１及び第２の差動信号を送信するための第１の集積回路と第２の集積回路とを有する。第２の集積回路は前記伝導体からの第１及び第２の差動信号を受信するための受信機を含み、これについての典型的な受信信号を供給し、データを伝達するための第１又は第２の差動信号のいずれかのコモンモード電圧を選択的に変調するためのカレントモード回路をさらに有する。ここにおいて、第１の集積回路はコモンモード検知回路を含み、コモンモード電圧における変化を検知する。【選択図】図２
2008160858.tif 000002
【特許請求の範囲】
【請求項１】
伝導体上に差動信号を送信するための送信機と、
データを伝達するために前記差動信号のコモンモード電圧を選択的に変調するカレントモード回路と
を備えたことを特徴とする集積回路。
【請求項２】
前記カレントモード回路は前記伝導体のうちの少なくともいくつかに対して電流源を選択的に連結するトランジスタを含むことを特徴とする請求項１に記載の集積回路。
【請求項３】
前記伝導体は第１及び第２の伝導体対を有し、前記差動信号は前記第１の伝導体対へ送信される第１の差動信号と前記第２の伝導体対へ送信される第２の差動信号とを有することを特徴とする請求項１に記載の集積回路。
【請求項４】
前記カレントモード回路は、前記第１又は第２の差動信号の前記コモンモード電圧を選択的に変調してデータを伝達することを特徴とする請求項３に記載の集積回路。
【請求項５】
前記伝導体と供給電圧ＶＤＤとの間にプルアップトランジスタをさらに含むことを特徴とする請求項１に記載の集積回路。
【請求項６】
伝導体上に第１及び第２の差動信号を送信するための第１の集積回路と、
前記伝導体からの前記第１及び第２の差動信号を受信してこれについての典型的な受信信号を供給するための受信機を有する第２の集積回路と、
前記第１又は第２の差動信号のいずれかのコモンモード電圧を選択的に変調してデータを伝達するためのカレントモード回路とを備え、
前記第１の集積回路は前記コモンモード電圧における変化を検知するためのコモンモード検知回路を有することを特徴とするシステム。
【請求項７】
前記コモンモード検知回路は、第１及び第２のコモンモード検知回路を含み、各々の回路は比較器へ出力を供給して前記第１及び第２のコモンモード検知回路の出力を比較することにより前記データを復旧することを特徴とする請求項６に記載のシステム。
【請求項８】
前記第１の差動信号は赤のビデオ信号であり、前記第２の差動信号は緑のビデオ信号であり、前記第１の集積回路は青のビデオ信号を送信するための追加の送信機を含むことを特徴とする請求項６に記載のシステム。
【請求項９】
前記カレントモード回路は前記伝導体の少なくともいくつかに対して電流源を選択的に連結するトランジスタを含むことを特徴とする請求項６に記載のシステム。
【請求項１０】
前記伝導体は、第１及び第２の伝導体対を含み、前記差動信号は、前記第１の伝導体対に対して送信される第１の差動信号と、前記第２の伝導体対に対して送信される第２の差動信号とを含むことを特徴とする請求項６に記載のシステム。
【請求項１１】
前記カレントモード回路は、前記伝達されるデータに対する前記第１又は第２の差動信号のコモンモード電圧を選択的に変調することを特徴とする請求項１０に記載のシステム。
【請求項１２】
伝導体上に第１及び第２の差動信号を送信するための送信機と前記第１及び第２の差動信号の第１及び第２のコモンモード電圧を選択的に変調して第１及び第２のデータを伝達するカレントモード回路とを含む第１の集積回路と、
前記伝導体からの前記第１及び第２の差動信号を受信してこれについての典型的な受信信号を供給する受信機と前記第１及び第２の差動信号のコモンモード電圧における変化を検知するためのコモンモード検知回路とを含む第２の集積回路と
を備えたことを特徴とするシステム。
【請求項１３】
前記コモンモード検知回路は、第１及び第２のコモンモード検知回路を含み、各々の回路は第１及び第２の比較器へ出力を供給して前記第１及び第２のコモンモード検知回路の出力を基準電圧信号と比較することにより前記データを復旧することを特徴とする請求項１２に記載のシステム。
【請求項１４】
伝導体上に第１及び第２の差動信号を送信するための送信機と前記第１又は第２の差動信号のコモンモード電圧を選択的に変調してデータを伝達するカレントモード回路とを含む第１の集積回路と、
前記伝導体からの前記第１及び第２の差動信号を受信してこれについての典型的な受信信号を供給する受信機と前記第１又は第２の差動信号のコモンモード電圧における変化を検知するためのコモンモード検知回路とを含む第２の集積回路と
を備えたことを特徴とするシステム。
【請求項１５】
前記コモンモード検知回路は、第１及び第２のコモンモード検知回路を含み、各々の回路は、前記第１及び第２のコモンモード検知回路の出力を比較することにより前記データを復旧する比較器へ出力を供給することを特徴とする請求項１４に記載のシステム。
【請求項１６】
前記第１の差動信号は赤のビデオ信号であり、前記第２の差動信号は緑のビデオ信号であり、前記第１の集積回路は青のビデオ信号を送信するための追加の送信機を含むことを特徴とする請求項１４に記載のシステム。
【請求項１７】
前記第１の集積回路における送信機はカレントモード送信機であることを特徴とする請求項１４に記載のシステム。
【請求項１８】
前記カレントモード回路は前記伝導体のうちの少なくともいくつかに対して電流源を選択的に連結するトランジスタを含むことを特徴とする請求項１４に記載のシステム。
【請求項１９】
前記伝導体は第１及び第２の伝導体対を有し、前記差動信号は前記第１の伝導体対へ送信される第１の差動信号と前記第２の伝導体対へ送信される第２の差動信号とを有することを特徴とする請求項１４に記載のシステム。
【請求項２０】
伝導体上に差動信号を送信するための送信回路と前記差動信号のコモンモード電圧を選択的に変調して第１のデータ信号を伝達するカレントモード回路と前記コモンモード電圧における変化を検知するための検知回路とを含む第１の集積回路と、
前記伝導体からの前記差動信号を受信してこれについての典型的な受信信号を供給する受信機と第２のデータ信号を伝達するためのコモンモード電圧を選択的に変調するカレントモード回路と前記コモンモード電圧おける変化を検知するための検知回路とを含む第２の集積回路と
を備えたことを特徴とするシステム。
【請求項２１】
前記第１の集積回路は前記コモンモード検知器の出力を前記第１のデータ信号に対する応答において選択された基準電圧と比較する比較器をさらに含み、前記第２の集積回路は前記コモンモード検知器の出力を前記第２のデータ信号に対する応答において選択された基準電圧と比較する比較器をさらに含むことを特徴とする請求項２０に記載のシステム。
【請求項２２】
前記カレントモード回路は、第１のバッファと、データ信号を受信し、かつ前記差動信号に連合するトランジスタをオンにするインバータとを含むことを特徴とする請求項２０に記載のシステム。
【請求項２３】
前記カレントモード回路は前記伝導体のうちの少なくともいくつかに対して電流源を選択的に連結するトランジスタを含むことを特徴とする請求項２０に記載のシステム。
【発明の詳細な説明】
【技術分野】
【０００１】
本発明の実施形態は、一般に信号の送受信に関するものである。
【背景技術】
【０００２】
ＰａｎｅＬｉｎｋ（登録商標）は、差動シグナリングによってケーブル上にビデオデータを供給するためのデジタルビデオインタフェース（ＤＶＩ）仕様である。この仕様は、差動電圧振幅及びコモンモードレンジの両方を指定するものであるが、コモンモードのバリエーションについてはある程度の余白がある。もし、コモンモードがこの余白内で変化すると、受信機はオリジナルデータを正しく検知するようサポートされる。このコモンモード値を意図的に変化させることによって、オリジナルの映像データを壊すことなく同一のケーブル上に追加のデータを送信するものである。このデータ転送は、コモンモードデータと差動モードデータが互いに干渉しない限り双方向で行われる。
【０００３】
図１に、既存のＰａｎｅｌＬｉｎｋ（登録商標）シグナリングシステム上のコモンモードシグナリングを使用する追加のデータ（ＴｘＤａｔａ）を送信するための従来の送受信機システムを示す。このスキームは反対方向における２つのＰａｎｅｌＬｉｎｋ（登録商標）チャンネルのコモンモードを変調してビットで表現し、これら２つのチャンネルのコモンモードにおける差動を検知してこのビットを復旧する。ＰａｎｅｌＬｉｎｋ（登録商標）Ｔｘ‐Ｒｘ対においては４つのチャンネルが存在するので、２つのコモンモードシグナリングチャンネルの追加が可能である。Ｍａｒｔｉｎに与えられた米国特許第６３０７５４３号明細書にさらなる情報が開示されている。
【０００４】
図１を参照すると、伝導体１２６及び１２８を含む第１のチャンネル１２４と伝導体１３２及び１３４を含む第２のチャンネル１３０とを介し、集積回路１２０（例えば、ＰａｎｅｌＬｉｎｋ（登録商標）送信機）が集積回路１２２（例えば、ＰａｎｅｌＬｉｎｋ（登録商標）受信機）に接続されている。トランジスタＱ１及びＱ２のゲートにおける入力信号Ｔｘ‐Ｒ＋及びＴｘ‐Ｒ−によって赤のデータが差動的に供給される。また、トランジスタＱ３及びＱ４のゲートにおける入力信号Ｔｘ‐Ｇ＋及びＴｘ‐Ｇ−によって緑のデータが差動的に供給される。ここで、トランジスタＱ１〜Ｑ４はＮチャンネルの酸化金属半導体電界効果トランジスタ（ＮＭＯＳＦＥＴｓ）である。ＶＤＤは３．３ボルトとなっている。抵抗Ｒ２，Ｒ３，Ｒ６，及びＲ７は５０オームの抵抗値を有している。
【発明の開示】
【発明が解決しようとする課題】
【０００５】
Ｔｘ‐Ｒ＋がＨｉｇｈで、Ｔｘ‐Ｒ−がＬｏｗであるとき、トランジスタＱ１はオンとなり、伝導体１２６の電圧は抵抗Ｒ１及びＲ２の値に基づいてＶＤＤから５００ｍＶ引き下げられ、トランジスタＱ２はオフとなり、伝導体１２８の電圧は本質的にＶＤＤとなる。同様に、Ｔｘ‐Ｒ＋がＬｏｗで、Ｔｘ‐Ｒ−がＨｉｇｈであるとき、トランジスタＱ２はオンとなり、伝導体１２８の電圧は抵抗Ｒ１及びＲ３の値に基づいてＶＤＤから５００ｍＶ引き下げられ、トランジスタＱ１はオフとなり、伝導体１２６の電圧は本質的にＶＤＤとなる。従って、コモンモードは３．０５ボルト＝（３．３＋２．８）／２となる。比較器１４６は、伝導体１２６が伝導体１２８よりも高い又は低い電圧を有しているかどうかに基づいて、高い又は低い出力を供給するものである。同じことは、Ｔｘ‐Ｇ＋及びＴｘ‐Ｇ−信号、トランジスタＱ３，Ｑ４，Ｑ７，及びＱ８、伝導体１３２及び１３４、並びに抵抗Ｒ６，Ｒ７，及びＲ１０についても言える。比較器１５０は、伝導体１３２が伝導体１３４よりも高い又は低い電圧を有しているかどうかに基づいて、高い又は低い出力を供給するものである。
【０００６】
集積回路１２２におけるＴｘ‐データがＨｉｇｈのとき、トランジスタＱ５及びＱ６がオンにされて伝導体１２６及びＶＤＤ間若しくは伝導体１２８及びＶＤＤ間の有効抵抗は減少するので、伝導体１２６及び１２８上のコモンモードは僅かに高くなる。しかしながら、Ｔｘ‐データがＨｉｇｈのとき、トランジスタＱ７及びＱ８はオフであるので、伝導体１３２及び１３４のコモンモードは不変のままである。反対に、Ｔｘ‐データがＬｏｗのとき、トランジスタＱ７及びＱ８がオンにされて伝導体１３２及びＶＤＤ間若しくは伝導体１３４及びＶＤＤ間の有効抵抗は減少するので、伝導体１３２及び１３４上のコモンモードは僅かに変化する。しかしながら、Ｔｘ‐データがＬｏｗのとき、伝導体１２６及び１２８のコモンモードは不変のままである。
【０００７】
Ｔｘ‐データがＨｉｇｈのとき、ノードＮ１の電圧はノードＮ２の電圧よりも高くなる。比較器１６０は、これに対する応答においてＨｉｇｈの出力Ｒｘ‐データを供給する。反対に、Ｔｘ‐データがＬｏｗのとき、ノードＮ２の電圧はノードＮ１の電圧よりも高くなる。比較器１６０は、これに対する応答においてＬｏｗの出力Ｒｘ‐データを供給する。このように、追加の信号Ｔｘ‐データはチャンネル１２４及び１３０上で同時に送信可能となる。
【０００８】
シグナリングは、完全に差動的かあるいは擬似差動的である。
【課題を解決するための手段】
【０００９】
いくつかの実施形態において、集積回路は伝導体上に差動信号を送信するための送信機と、データを伝達するための差動信号のコモンモード電圧を選択的に変調するカレントモード回路とを含む。
【００１０】
他の実施形態においては、第１の集積回路と第２の集積回路とを有するシステムとなっている。第１の集積回路は伝導体上に第１及び第２の差動信号を送信する。第２の集積回路はこの伝導体からの第１及び第２の差動信号を受信しそれについての典型的な受信信号を供給する受信機と、データを伝達するための第１又は第２の差動信号のコモンモード電圧を選択的に変調するカレントモード回路とを有する。ここにおいて、第１の集積回路はコモンモード電圧における変位を検知するためのコモンモード検知回路を有する。
【００１１】
他の実施形態においては、システムは第１の集積回路及び第２の集積回路を含む。第１の集積回路は伝導体上に第１及び第２の差動信号を送信する。第１の集積回路は、伝導体上に第１及び第２の差動信号を送信するための送信機と、第１及び第２のデータを伝達するための第１及び第２の差動信号の第１及び第２のコモンモード電圧を選択的に変調するカレントモード回路とを有する。第２の集積回路は、伝導体からの第１及び第２の差動信号を受信しこれについての典型的な受信信号を供給するための受信機と、第１及び第２の差動信号のコモンモード電圧における変化を検知するためのコモンモード検知回路とを有する。
【００１２】
他の実施形態において、システムは第１の集積回路と第２の集積回路とを含む。第１の集積回路は、伝導体上に第１及び第２の差動信号を送信する。第１の集積回路は、伝導体上に第１及び第２の差動信号を送信する送信機と、データを伝達するための第１又は第２の差動信号のコモンモード電圧を選択的に変調するカレントモード回路とを有する。第２の集積回路は、伝導体からの第１及び第２の差動信号を受信しこれについての典型的な受信信号を供給する受信機と、第１又は第２の差動信号のコモンモード電圧における変化を検知するためのコモンモード検知回路とを有する。
【００１３】
他の実施形態において、システムは第１及び第２の集積回路を含む。第１の集積回路は伝導体上に第１及び第２の差動信号を送信する。第１の集積回路は、伝導体上に差動信号を送信するための送信回路と、第１のデータ信号を伝達するための差動信号のコモンモード電圧を選択的に変調するカレントモード回路と、コモンモード電圧における変化を検知するための検知回路とを有する。第２の集積回路は、伝導体からの差動信号を受信しこれについての典型的な受信信号を供給する受信機と、第２のデータ信号を伝達するためのコモンモード電圧を選択的に変調するカレントモード回路と、コモンモード電圧における変化を検知するための検知回路とを有する。
【００１４】
その他の実施形態についても記載され、特許請求の範囲にも記載されている。
【００１５】
本発明は、後述する記載及び本発明の実施形態を例示するために使用される図面を参照することによって最も良く理解することができる。しかしながら、本発明はこれらの図面の細部に限定されるものではない。
【発明を実施するための最良の形態】
【００１６】
図２に、図１のシステムと機能的な共通点を有するが、図１のものとは異とする改善されたコモンモードドライバ／検知器を伴ったシステムを示す。図２のシステムは、コモンモード変調に対するカレントモードドライビングを使用する。いくつかの実施形態において、これはコモンモードと差動モードとの間の干渉を軽減する。また、図２のシステムはＴｘ側（集積回路２２０）におけるコモンモード終端を有している。いくつかの実施形態においては、伝導体をトラバースした際に差動コンポーネントに変換されうる送信されたコモンモード信号の影響を軽減する。さらに、図２のシステムは、専用のコモンモード検知器を使用する。いくつかの実施形態において、これはより好ましい性能を発揮する。
【００１７】
図２を参照すると、システム２１０は、伝導体２２６及び２２８を含む第１のチャンネル２２４と伝導体２３２及び２３４を含む第２のチャンネルとを経由して集積回路２２０及び集積回路２２２間の同時双方向シグナリングを供給する。例として、集積回路２２０はＰａｎｅｌＬｉｎｋ（登録商標）送信機を含み、集積回路２２２はＰａｎｅｌＬｉｎｋ（登録商標）受信機を含むが、本発明はＰａｎｅｌＬｉｎｋ（登録商標）準拠の送信機及び受信機を使用することに限定されるわけではない。現実に、本発明はＰａｎｅｌＬｉｎｋ（登録商標）準拠でない他の多くの送信機、受信機、及びシステムについて使用可能である。
【００１８】
赤のデータは、トランジスタＱ１１及びＱ１２のゲートにおける入力信号Ｔｘ‐Ｒ＋及びＴｘ‐Ｒ−に応答して伝導体２２６及び２２８上に差動的に供給される。緑のデータは、トランジスタＱ１３及びＱ１４のゲートにおける入力信号Ｔｘ‐Ｇ＋及びＴｘ‐Ｇ−に応答して伝導体２３２及び２３４上に差動的に供給される。比較器２７０は伝導体２２６及び２２８の電圧を比較して受信Ｒｘ‐Ｒ（赤のデータ）信号を生成し、比較器２７６は伝導体２３２及び２３４の電圧を比較して受信Ｒｘ‐Ｇ（緑のデータ）信号を生成する。通常の作動の間、信号Ｚ０Ｃｏｎｔ（コントロール）は低い電圧（例えば、グラウンド）を有し、Ｐチャンネルの酸化金属半導体電界効果トランジスタ（ＰＭＯＳＦＥＴｓ）Ｑ１５，Ｑ１６，Ｑ１７，Ｑ１８，Ｑ２１，Ｑ２２，Ｑ２５，及びＱ２５をオンにする。何かがこのシグナルを低い電圧へ下げない限り、伝導体２２６，２２８，２３２，及び２３４上の電圧は、Ｑ１５，Ｑ１６，Ｑ１７，Ｑ１８，Ｑ２１，Ｑ２２，Ｑ２５，及びＱ２５によって電圧ＶＤＤまで引き寄せられる。いくつかの実施形態において、集積回路２２０及び２２２に電力が供給されている間、システムが低電力モードに入っている時を除いてＺ０ｃｏｎｔは低く保たれる。
【００１９】
Ｔｘ‐Ｒ＋がＨｉｇｈ（高い電位にある）のとき、かつ、Ｔｘ‐Ｒ−がＬｏｗ（低い電位にある）のとき、トランジスタＱ１１はオンになり、伝導体２２６の電圧はＶＤＤから約２５０ｍＶ引き下げられ、トランジスタＱ１２はオフとなり、伝導体２２８の電圧はＶＤＤに保たれる。従って、コモンモードは３．１７５ボルト＝（３．３＋３．０５）／２となる。２５オームの有効抵抗を有する並列の５０オームのトランジスタＱ１５及びＱ２１によって電流源２４８は１０ミリアンペア引き寄せられるので２５０ｍＶの電圧降下が生じることとなる。抵抗Ｑ１１，Ｑ１２，Ｑ１３，及びＱ１４は非常に低い抵抗値であり電圧計算においては無視できる。同様に、Ｔｘ‐Ｒ−がＨｉｇｈ、かつＴｘ‐Ｒ＋がＬｏｗのとき、トランジスタＱ１２はオンになり、伝導体２２８の電圧はＶＤＤから約２５０ｍＶ引き下げられ、トランジスタＱ１１はオフになり、伝導体２２６の電圧はＶＤＤに保たれる。比較器２７０は、例えば、伝導体２２６上の電圧が伝導体２２８上の電圧よりも大きいときには高い電圧を有し、伝導体２２８上の電圧が伝導体２２６上の電圧よりも大きいときには低い電圧を有するような受信信号Ｒｘ‐Ｒを出力する。
【００２０】
同様に、Ｔｘ‐Ｇ＋がＨｉｇｈのとき、かつ、Ｔｘ‐Ｇ−がＬｏｗのとき、トランジスタＱ１３はオンになり、伝導体２３２の電圧はＶＤＤから約２５０ｍＶ引き下げられ、トランジスタＱ１４はオフとなり、伝導体２３４の電圧はＶＤＤに保たれる。同様に、Ｔｘ‐Ｇ−がＨｉｇｈ、かつＴｘ‐Ｇ＋がＬｏｗのとき、トランジスタＱ１４はオンになり、伝導体２３４の電圧はＶＤＤから約２５０ｍＶ引き下げられ、トランジスタＱ１３はオフになり、伝導体２３２の電圧はＶＤＤに保たれる。比較器２７８は、例えば、伝導体２２６上の電圧が伝導体２２８上の電圧よりも大きいときには高い電圧を有し、伝導体２２８上の電圧が伝導体２２６上の電圧よりも大きいときには低い電圧を有するような受信信号Ｒｘ‐Ｇを出力する。
【００２１】
コモンモードは、次のように変調されて集積回路２２２から集積回路２２０へ追加のデータを送信する。そして、赤及び緑のデータが送信される逆の方向となる。送信端において追加のデータはＪ‐ＴｘＤと呼ばれる。Ｊの文字はコモンモードを変調するための信号であることを意味し、Ｔｘは処理の送信側の信号であることを意味し、Ｄはデータを意味する。Ｊデータは制御信号として含まれるあらゆる目的のために使用されることに留意する必要がある。
【００２２】
Ｊ‐ＴｘＤがＨｉｇｈのとき、バッファ２７４はトランジスタＱ２３及びＱ２４にＨｉｇｈ信号を供給してこれらはオンとなり、インバータ２７８はトランジスタＱ２７及びＱ２８にＬｏｗ信号を供給してこれらはオフとなる。トランジスタＱ２３及びＱ２４がオンのとき、電流源２８２は２５オームの有効抵抗を有する５０オームのトランジスタＱ１５及びＱ２１によって１０ミリアンペア引き寄せられるので、伝導体２２６の電圧は２５０ミリボルト引き下げられることとなる。同様に、電流源２８４は２５オームの有効抵抗を有する５０オームのトランジスタＱ１６及びＱ２２によって１０ミリアンペア引き寄せられるので、伝導体２２８の電圧は２５０ミリボルト引き下げられることとなる。しかしながら、Ｊ‐ＴｘＤがＨｉｇｈのときはトランジスタＱ２７及びＱ２８はオフとなるので、伝導体２３２及び２３４のコモンモードは不変のままとなる。
【００２３】
対照的に、Ｊ‐ＴｘＤがＬｏｗのときは、バッファ２７４はトランジスタＱ２３及びＱ２４にＬｏｗ信号を供給するのでこれらはオフとなり、伝導体２２６及び２２８のコモンモードは不変のままとなる。しかしながら、Ｊ‐ＴｘＤがＬｏｗの状態では、インバータ２７８はトランジスタＱ２７及びＱ２８にＨｉｇｈ信号を供給するのでこれらはオンとなる。トランジスタＱ２７及びＱ２８がオンのとき、電流源２８８は２５オームの有効抵抗を有する５０オームトランジスタＱ１７及びＱ２５によって１０ミリアンペア引き寄せられるので、伝導体２３２の電圧は２５０ミリボルト引き下げられる。同様に、電流源２８８は２５オームの有効抵抗を有する５０オームトランジスタＱ１８及びＱ２６によって１０ミリアンペア引き寄せられるので、伝導体２３４の電圧は２５０ミリボルト引き下げられる。
【００２４】
コモンモード検知器（ＣＭ検知器）２５２は、伝導体２２６及び２２８上のコモンモード電圧が減少したかどうかを検知し、例えば、減少した場合には高い電圧を供給し、減少しなかった場合には低い電圧を供給する。同様に、ＣＭ検知器２５４は、伝導体２３２及び２３４上のコモンモード電圧が減少したかどうかを検知し、例えば、減少した場合には高い電圧を供給し、減少しなかった場合には低い電圧を供給する。ＣＭ検知器２５２及び２５４の可能な実施形態は多く存在する。例えば、ＣＭ検知器２５２及び２５４の出力は直列に接続された２つの抵抗（例えば、１ｋオーム）の中央部にあってもよい。
【００２５】
比較器２４０は、ＣＭ検知器２５２及び２５４からの信号出力の値を比較して受信データ出力信号Ｊ‐ＲｘＤを供給する。例えば、ＣＭ検知器２５２の出力がＨｉｇｈでＣＭ検知器２５４の値がＬｏｗであるならば、比較器２４０の出力Ｊ‐ＲｘＤはＨｉｇｈ電圧（入力信号Ｊ‐ＴｘＤの値に一致する）になる。同様に、ＣＭ検知器２５２の出力がＬｏｗでＣＭ検知器２５４の値がＨｉｇｈであるならば、比較器２４０の出力Ｊ‐ＲｘＤはＬｏｗ電圧（入力信号Ｊ‐ＴｘＤの値に一致する）になる。その逆もまた実施される。
【００２６】
このようにして、追加のデータ（Ｊデータ）は集積回路２２２から集積回路２２０へ送信される。青データなどの色データは、図２に不図示の追加の伝導体を経由して送信される。さらに、追加のＪデータもまた送信される。以下に例示する。
【００２７】
赤及び緑の信号、並びにＪ‐ＴｘＤ信号は複数のビット幅を有する。例えば、その信号は８ビット幅や、或いは１０又は１２ビット幅といった他の大きさのビット幅である。
【００２８】
図３に、図のシステム作動を例示するために使用されるいくつかのタイミングチャートを示す。図３の最上部において、０及び１の値、並びにＲ＋及びＲ−に対して表現された図式的な電圧が例示されている。一例として、０はＨｉｇｈ電圧を表現し、１はＬｏｗ電圧を表現するが、その逆であることとしてもよい。Ｒ＋がＬｏｗ電圧を有し、かつＲ−がＨｉｇｈ電圧を有するときは０という値で表現され、Ｒ＋がＨｉｇｈ電圧を有し、かつＲ−がＬｏｗ電圧を有するときは１という値で表現されていることに留意されたい。他の実施形態においては、これらの電圧レベルに対して逆の値を割り当てることもできる。別々に与えられたＲ＋及びＲ−の図式的表現の下には、０及び１の値と、Ｇ＋及びＧ−に対して別々に与えられた図式的電圧表現が例示されている。同様に、この例では、Ｇ＋がＬｏｗ電圧を有し、かつＧ−がＨｉｇｈ電圧を有するときには０という値で表現され、Ｇ＋がＨｉｇｈ電圧を有し、かつＧ−がＬｏｗ電圧を有する時には１という値で表現される。別々に与えられたＲ＋及びＲ−の表現及び別々に与えられたＧ＋及びＧ−の表現の下にあるものは、対応する０及び１の値を伴った結合されたＲ＋／−及びＧ＋／−の表現である。
【００２９】
結合されたＲ＋／−及びＧ＋／−の表現の下には、対応する０及び１の値を伴い別々に与えられたＣＭ＋及びＣＭ−の値が例示されている。ＣＭ＋及びＣＭ−はＪ‐ＴｘＤを代表するものであり、出力バッファ２７４及びインバータ２７８である。ＣＭ＋及びＣＭ−の値は、Ｒ＋／−信号を搬送する伝導体上のコモンモードを変化させることによって集積回路間を通過する。別々に与えられたＣＭ＋及びＣＭ−の値の下にあるものは、対応する０及び１の値を伴った結合されたＲ＋／−及びＣＭ＋信号であり、ここではＣＭ＋信号は伝導体２２６及び２２８上のＲ＋／−差動信号に重ね合わされている。この下にあるものは、対応する０及び１の値を伴った結合されたＧ＋／−及びＣＭ−であり、ここではＣＭ−信号は伝導体２３２及び２３４上のＧ＋／−差動信号に重ね合わされている。
【００３０】
図３においては、図式的な電圧レベルは理想化されたものであり、実際には鋭さに欠ける推移をするかもしれないことに留意されたい。いくつかの実施形態においては、これらは正弦曲線的なものになるかもしれない。
【００３１】
図２において、追加のデータ（Ｊ‐データ又はコモンモード変調データ）は、Ｒ＋／−及びＧ＋／−データとは反対方向に移動する。図４において、Ｊ‐データは、Ｒ＋／−及びＧ＋／−データと同一の方向に移動する。さもなければ、図４の集積回路は図２の集積回路と同様に作動する。
【００３２】
図４を参照すると、赤のデータは、トランジスタＱ４４及びＱ４５のゲートにおける入力信号Ｔｘ‐Ｒ＋及びＴｘ‐Ｒ−に応答して伝導体３２６及び３２８上に差動的に供給される。緑のデータは、トランジスタＱ４６及びＱ４７のゲートにおける入力信号Ｔｘ‐Ｇ＋及びＴｘ‐Ｇ−に応答して伝導体３３２及び３３４上に差動的に供給される。比較器３６６は、伝導体３２６及び３２８の電圧を比較して受信Ｒｘ‐Ｒ（赤のデータ）信号を生成し、比較器３７４は、伝導体３３２及び３３４の電圧を比較して受信Ｒｘ‐Ｇ（緑のデータ）信号を生成する。通常の差動の間、信号Ｚ０ｃｏｎｔ（コントロール）はＬｏｗ電圧（例えば、グラウンド）を有し、トランジスタＱ５１，Ｑ５２，Ｑ５３，Ｑ５４，Ｑ５５，Ｑ５６，Ｑ５７，及びＱ５８をオンにする。何かがこの信号をより低い電圧に引き寄せない限り、伝導体３２６，３２８，３３２，及び３３４上の電圧は、Ｑ５１，Ｑ５２，Ｑ５３，Ｑ５４，Ｑ５５，Ｑ５６，Ｑ５７，及びＱ５８によって電圧ＶＤＤに引き寄せられる。いくつかの実施形態において、集積回路３２０及び３２２に電力が供給されている間は、Ｚ０ｃｏｎｔは、システムが低電力モードに入っている時を除いて低く保たれる。
【００３３】
Ｔｘ‐Ｒ＋がＨｉｇｈで、かつＴｘ‐Ｒ−がＬｏｗのとき、トランジスタＱ４４はオンとなり、伝導体３２６の電圧はＶＤＤから約２５０ｍＶ引き下げられ、トランジスタＱ４５はオフとなるので、伝導体３２８の電圧はＶＤＤに維持される。従って、コモンモードは３．１７５ボルト＝（３．３＋３．０５）／２となる。２５オームの有効抵抗を有する並列の５０オームのトランジスタＱ５１及びＱ５５によって電流源３４２は１０ミリアンペア引き寄せられるので、２５０ｍＶの電圧降下が生じることとなる。抵抗Ｑ４４，Ｑ４５，Ｑ４６，及びＱ４７は非常に低い抵抗値であり電圧計算においては無視できる。同様に、Ｔｘ‐Ｒ−がＨｉｇｈ、かつＴｘ‐Ｒ＋がＬｏｗのとき、トランジスタＱ４５はオンになり、伝導体３２８の電圧はＶＤＤから約２５０ｍＶ引き下げられ、トランジスタＱ４４はオフになり、伝導体３２６の電圧はＶＤＤに保たれる。比較器３６６は、例えば、伝導体３２６上の電圧が伝導体３２８上の電圧よりも大きいときには高い電圧を有し、伝導体３２８上の電圧が伝導体３２６上の電圧よりも大きいときには低い電圧を有するような受信信号Ｒｘ‐Ｒを出力する。
【００３４】
同様に、Ｔｘ‐Ｇ＋がＨｉｇｈで、かつＴｘ‐Ｇ−がＬｏｗのとき、トランジスタＱ４６はオンになり、伝導体３３２の電圧はＶＤＤから約２５０ｍＶ引き下げられ、トランジスタＱ４７はオフとなり、伝導体３３４の電圧はＶＤＤに保たれる。同様に、Ｔｘ‐Ｇ−がＨｉｇｈ、かつＴｘ‐Ｇ＋がＬｏｗのとき、トランジスタＱ４７はオンになり、伝導体３３４の電圧はＶＤＤから約２５０ｍＶ引き下げられ、トランジスタＱ４６はオフになり、伝導体３３２の電圧はＶＤＤに保たれる。比較器３７４は、例えば、伝導体３２６上の電圧が伝導体３２８上の電圧よりも大きいときには高い電圧を有し、伝導体３２８上の電圧が伝導体３２６上の電圧よりも大きいときには低い電圧を有するような受信信号Ｒｘ‐Ｇを出力する。
【００３５】
コモンモードは、次のように変調されて集積回路３２０から集積回路３２２へ追加のデータ（Ｊ‐ＴｘＤ）を送信する。つまり、他のコモンモードは不変のまま、伝導体３２６及び３２８又は伝導体３３２及び３３４上のコモンモードを変化させる（変調する）ことによって送信するのである。
【００３６】
Ｊ‐ＴｘＤ（Ｊ‐送信データ）がＨｉｇｈのとき、バッファ３３８はトランジスタＱ４０及びＱ４０をオンにし、１０ミリボルト電流源３４４は５０オームのトランジスタＱ５１及びＱ５５の抵抗によって伝導体３２６の電圧を約２５０ミリボルト引き下げ、１０ミリボルト電流源３４６は５０オームのトランジスタＱ５２及びＱ５６の抵抗によって伝導体３２８の電圧を約２５０ミリボルト引き下げる。これによって、伝導体３２６及び３２８のコモンモードもまた、約２５０ミリボルト減少する。インバータ３４０は、Ｌｏｗ電圧信号を供給するのでＱ４２及びＱ４３はオフとなり、伝導体３３２及び３３４のコモンモードは減少しない。
【００３７】
同様に、Ｊ‐Ｔｘ‐ＤがＬｏｗのとき、バッファ３３８はＱ４０及びＱ４１にＬｏｗ電圧を供給し、これらはオフとなり、伝導体３２６及び３２８のコモンモードは不変のままとなる。しかし、インバータ３４０はトランジスタＱ４２及びＱ４３にＨｉｇｈ信号を供給するのでこれらはオンになる。Ｑ４２及びＱ４３がオンの状態では、電流源３４８は、５０オームのトランジスタＱ５３及びＱ５７によって伝導体３３２の電圧を約２５０ミリボルト引き下げ、電流源３５０は、５０オームのトランジスタＱ５４及びＱ５８によって伝導体３３４の電圧を約２５０ミリボルト引き下げる。従って、伝導体３３２及び３３４のコモンモードもまた、約２５０ミリボルト減少する。
【００３８】
コモンモード検知器３６８は、伝導体３２６及び３２８上のコモンモードが減少したことを検知して、これを示す信号を比較器３７２の入力の１つに供給する。ＣＭ検知器３７６は、伝導体３３２及び３３４上のコモンモードが減少しなかったことを検出して、比較器３７２の他の入力へ信号を供給する。一例として、Ｊ‐Ｔｘ‐ＤがＨｉｇｈならば、ＣＭ検知器３６８の出力はＨｉｇｈ、ＣＭ検知器３７６の出力はＬｏｗ、比較器３７２の出力はＨｉｇｈとなる。この例においては、Ｊ‐Ｔｘ‐ＤがＬｏｗならば、ＣＭ検知器３６８、ＣＭ検知器３７６、及び比較器３７２の出力は、Ｌｏｗ、Ｈｉｇｈ、及びＬｏｗとなる。もちろん、反対の慣例を用いることもできる。
【００３９】
いくつかの実施形態において、図４のシステム３１０は、Ｊ‐ＴｘＤの電圧に関わらずＱ４０，Ｑ４１，Ｑ４２，及びＱ４４をオフにする追加の回路を有している。このようにする理由は、集積回路３２２はＨｉｇｈ又はＬｏｗのコモンモード信号のいずれかを検知しないからである。図２のシステム２１０は同様の回路を有している。
【００４０】
図５に、いくつかのデータ（例えば、赤のビデオデータ）が集積回路４２０から集積回路４２２へ供給されるシステム４１０を示す。マルチレベルモードシグナリングが使用されて、同じチャンネルを通って集積回路４２０から集積回路４２２へ、そして集積回路４２２から集積回路４２０へと双方向に追加の信号（Ｊ‐ＴｘＤ及びＪ‐ＴｘＤ２）を供給する。第１のチャンネル４２４は伝導体４２６及び４２８を含み、第２のチャンネル４３０は伝導体４３２及び４３４を含む。追加のビデオデータといった追加の信号を搬送するための追加のチャンネルが存在するという点に留意されたい。例えば、チャンネル４２４は単に赤のデータを搬送するだけで、緑のデータ及び青のデータを搬送するための、チャンネル４２４と同等のチャンネルが他に存在する。また、これらの他のチャンネルは、単方向若しくは双方向のコモンモードデータを送信することもできるし、しないこととすることもできる。
【００４１】
通常の差動の間、信号Ｚ０ｃｏｎｔ（コントロール）はＬｏｗの電圧（例えば、グラウンド）を有し、トランジスタＱ６４，Ｑ６５，Ｑ７０，Ｑ７１，Ｑ８０，Ｑ８１，Ｑ８４，及びＱ８５をオンにする。何かがより低い電圧へと信号を引き下げない限り、伝導体４２６，４２８，４３２，及び４３４上の電圧は、Ｑ６４，Ｑ６５，Ｑ７０，Ｑ７１，Ｑ８０，Ｑ８１，Ｑ８４，及びＱ８５によって電圧ＶＤＤに引き寄せられる。いくつかの実施形態において、集積回路４２０及び４２２に電力が供給されている間、Ｚ０ｃｏｎｔは、システムが低電力モードに入っている時を除いて低く保たれる。
【００４２】
図５において、Ｔｘ‐Ｒ＋がＨｉｇｈでＴｘ‐Ｒ−がＬｏｗのとき、トランジスタＱ６２はオンとなり、伝導体４２６の電圧はＶＤＤから約２５０ｍＶ引き下げられて、トランジスタＱ６３はオフとなり、伝導体４２８の電圧はＶＤＤに保たれる。従って、コモンモードは、３．１７５ボルト＝（３．３＋３．０５）／２である。２５オームの有効抵抗を有する並列の５０オームのトランジスタＱ６４及びＱ８０によって電流源４５８は１０ミリアンペア引き寄せられるので、２５０ｍＶの電圧降下が生じることとなる。抵抗Ｑ６０，Ｑ６１，Ｑ６２，Ｑ６３，Ｑ６６，Ｑ６７，Ｑ６８，Ｑ６９，Ｑ８２，Ｑ８３，Ｑ８６，及びＱ８７は非常に低い抵抗値であり、電圧計算においては無視できる。同様に、Ｔｘ‐Ｒ−がＨｉｇｈで、Ｔｘ‐Ｒ＋がＬｏｗのとき、トランジスタＱ６３はオンとなり、伝導体４２８の電圧はＶＤＤから約２５０ｍＶ引き下げられ、トランジスタＱ６２はオフとなり、伝導体４２６の電圧はＶＤＤに保たれる。受信機４７２は、例えば、伝導体４２６上の電圧が伝導体４２８上の電圧よりも大きいときには高い電圧を有し、伝導体４２８上の電圧が伝導体４２６上の電圧よりも大きいときには低い電圧を有するような受信信号Ｒｘ‐Ｒを出力する。
【００４３】
伝導体４２６及び４２８上のコモンモードシグナリングは表１に要約されており、ＣＭ検知器４４８及び４７０は、コモンモードが減少しない場合には低い電圧出力を与え、コモンモードが２５０ミリボルト減少した場合には中程度（Ｍｅｄ，ｍｅｄｉｕｍ）の電圧出力を与え、コモンモードが５００ミリボルト減少した場合には高い電圧出力を与えるものである。
【００４４】
【表１】
2008160858.tif 000003
【００４５】
表１においては、Ｌｏｗ＜ＶｒｅｆＬ＜Ｍｅｄ＜ＶｒｅｆＨ＜Ｈｉｇｈの関係となっており、比較器４４２及び４８０の感度はこれらの信号の差異を十分に検知できる程度に高い。セレクタ４４６は、Ｊ‐ＴｘＤ２がＬｏｗならばＶｒｅｆＬを選択し、Ｊ‐ＴｘＤ２がＨｉｇｈならばＶｒｅｆＨを選択する。同様に、セレクタ４８２は、Ｊ‐ＴｘＤがＬｏｗならばＶｒｅｆＬを選択し、Ｊ‐ＴｘＤがＨｉｇｈならばＶｒｅｆＨを選択する。
【００４６】
信号Ｊ‐ＴｘＤ及びＪ‐ＴｘＤ２が共にＬｏｗのとき、トランジスタＱ６０，Ｑ６１，Ｑ８２，及びＱ８３はそれぞれオフとなり、伝導体４２６及び４２８のコモンモードは低くならない。Ｊ‐ＴｘＤ及びＪ‐ＴｘＤ２は共に低いので、セレクタ４４６及び４８２は各々Ｌｏｗ電圧を選択するが、ＣＭ検知器４４８及び４７０は各々Ｌｏｗ基準電圧（ＶｒｅｆＬ）を選択する。Ｌｏｗ＜ＶｒｅｆＬであるので、比較器４４２及び２８０はＬｏｗ出力Ｊ‐ＲｘＤ２及びＪ‐ＲｘＤを供給する。
【００４７】
Ｊ‐ＴｘＤがＬｏｗでＪ‐ＴｘＤ２がＨｉｇｈのとき、セレクタ４８０はＶｒｅｆＬを選択し、セレクタ４４６はＶｒｅｆＨを選択し、Ｑ８２及びＱ８３はオフとなり、Ｑ６０及びＱ６１はオンとなる。２５オームの有効抵抗を有する５０オームのトランジスタＱ６４及びＱ８０によって電流源４５４は１０ミリアンペア電流を供給するので、伝導体４２６はＱ６０によって約２５０ミリボルト引き下げられる。同様に、５０オームのトランジスタＱ６５及びＱ８１によって電流源４５６は１０ミリアンペア電流を供給するので、伝導体４２８はＱ６１によって約２５０ミリボルト引き下げられる。したがって、ＣＭ検知器４４８及び４７０はコモンモードにおける降下（drop）を検知し、比較器４４２及び４８０へ中程度（Ｍｅｄ，ｍｅｄｉｕｍ）の電圧信号を供給する。ｍｅｄｉｕｍ＜ＶｒｅｆＨであるので、比較器４４２はＬｏｗのＪ‐ＲｘＤを供給し、ＶｒｅｆＬ＜ｍｅｄｉｕｍであるので、比較器４８０はＨｉｇｈのＪ‐ＲｘＤ２を供給する。Ｊ‐ＴｘＤがＨｉｇｈでＪ‐ＴｘＤ２がＬｏｗのときは、ちょうど反対のことが起こる。
【００４８】
Ｊ‐ＴｘＤ及びＪ‐ＴｘＤ２が共にＨｉｇｈのとき、セレクタ４４６及び４８０は共にＶｒｅｆＨを選択し、Ｑ６０，Ｑ６１，Ｑ８２，及びＱ８３はオンになる。５０オームのトランジスタＱ６４及びＱ８０によって電流源４５４及び４７６は各々１０ミリアンペア電流を供給するので、伝導体４２６はＱ６０及びＱ８２によって約５００ミリボルト引き下げられる。同様に、５０オームのトランジスタＱ６５及びＱ８１によって電流源４５６及び４７８は各々１０ミリアンペア電流を供給するので、伝導体４２８はＱ６１及びＱ８１によって約５００ミリボルト引き下げられる。したがって、ＣＭ検知器４４８及び４７０は、５００ミリボルトのコモンモードにおける降下（drop）を検知し、比較器４４２及び４８０にＨｉｇｈの電圧信号を供給する。ＶｒｅｆＨ＜ｈｉｇｈであるので、比較器４４２はＨｉｇｈのＪ‐ＲｘＤを供給し、比較器４８０はＨｉｇｈのＪ‐ＲｘＤ２を供給する。
【００４９】
クロック信号は、ＴＣＫ＋及びＴＣＫ−としてチャンネル４３０の伝導体４３２及び４３４上に差動的に供給される。トランジスタＱ６６，Ｑ６７，Ｑ８６，及びＱ８７は常時オンであるので、基準電流源４６２，４６４，４８８，及び４９０は５０オームのトランジスタＱ７０，Ｑ７１，Ｑ８４，及びＱ８５によって伝導体４３２及び４３４上に電流を供給する（低電力モードにおいてトランジスタＱ６６，Ｑ６７，Ｑ８６，及びＱ８７をオフにすることができる追加の回路が存在する）。ＴＣ＋がＨｉｇｈでＴＣ−がＬｏｗのとき、トランジスタＱ６８はオンとなり、電流源４６８は５０オームのトランジスタＱ６９及びＱ８４により１０ミリアンペア電流引き寄せられるので、伝導体４３２の電圧はＶＤＤから約２５０ｍＶ引き下げられ、トランジスタＱ６９はオフとなり、伝導体４３４の電圧は減少しない。ＴＣ＋がＬｏｗでＴＣ−がＨｉｇｈのとき、トランジスタＱ６９はオンとなり、電流源４６８は並列の５０オームのトランジスタＱ７０及びＱ８５により１０ミリアンペア電流引き寄せられるので、伝導体４３４の電圧はＶＤＤから約２５０ｍＶ引き下げられ、トランジスタＱ６８はオフとなり、伝導体４３２の電圧は減少しない。受信機４９６は、ＴＣＫ＋及びＴＣＫ−における変化に応答してクロック出力を供給する。ＣＭ検知器４５２及び４８６はコモンモード基準信号を供給する。
【００５０】
図６に、ＰａｎｅｌＬｉｎｋ（登録商標）準拠システムにおける、上述した創意ある設計の１又は複数の実施例を示す。赤及び緑のチャンネルは前方向（forward direction）にコモンモードデータを送信するために使用され、青及びクロックのチャンネルは後方向（backward direction）にコモンモードデータを送信するために使用される。予備のビデオ／オーディオデータ又はユニバーサル・シリアル・バス（ＵＳＢ）のパケットを、１または複数の創意ある設計を使用する既存のＰａｎｅｌＬｉｎｋ（登録商標）接続上で伝送することができる。
【００５１】
図６を参照すると、集積回路５２０は、データチャンネル５５０及び５６６によって受信された赤及び緑のデータを含み、順番に、赤及び緑の信号を送信機５５２、５６８、及び５７２に供給する。Ｊ‐ＴｘＤ２信号は、フリップ・フロップ５５４、エンコーダ５５６、１０ビット→１ビット回路５５８、リタイマ回路５６０、及び、送信機５５２及び５６８によって受信される信号ｔｄｉにおいて送信データを生成する処理回路５６２に供給される。もし、Ｊ‐ＴｘＤ２信号が８ビット幅ならば、８つの並列フリップ・フロップ等が存在する。受信機６１２及び６２６は、伝導体５２６、５２８、及び５３２、５３４によって送信機５５２及び５６８からの信号を受信する。赤及び緑のデータは、受信機６１２及び６２６からデータチャンネル６１０及び６３０へ供給される。受信機からの受信データ出力（ｒｄｏ）及びインバートされたｒｄｏは、受信機６１２及び６２６によって処理回路６１２、リタイミング回路６１４、１ビット→１０ビット回路６１６、デコーダ６１８、及びフリップ・フロップ６２０へ供給されて、信号Ｊ‐ＲｘＤ２を供給する。
【００５２】
青のデータはデータチャンネル５７０へ供給され、緑のデータを送信機／受信機５７２に供給し、伝導体５３６及び５３８上のデータを受信機／発信機６３２へ供給する。受信された青のデータはデータチャンネル６３４に供給される。Ｊ‐ＴｘＤ信号は、フリップ・フロップ６４０、エンコーダ６４２、１０ビット→１ビット回路６４４、リタイミング回路６４８、及び受信機／送信機６３２及び６６０によって受信される信号ｔｄｉにおいて送信データを生成する処理回路６５２に供給される。コモンモード信号は、受信機／送信機６３２及び６６０によって伝導体５３６、５３８、及び５４０、５４２上に送信され、送信機／受信機５７２及び５９０によって受信され、受信データ出力信号ｒｄｏ及びインバータｒｄｏを処理回路５８２、リタイミング回路５８０、１０ビット→１ビット回路５７８、デコーダ５７６、及びフリップ・フロップ５７４に供給し、信号Ｊ‐ＲｘＤを供給する。フィルタ位相ロックループ（ＦＰＬＬ）５９２は入力ジッタを拒絶して基準クロック供給をセレクタ５９６へ供給する。メインＰＬＬ（ＭＰＬＬ）５９４及び６５６はクロック位相を供給する。
【００５３】
上記例示は、完全な差動コモンモード比較信号を伴ったものである。代替的に、チャンネルのコモンモードは基準と比較することができ、他のチャンネルは独立に送信される。例えば、図７は、集積回路７０４において２つのコモンモード信号Ｊ‐ＴｘＤ１及びＪ‐ＴｘＤ２信号がチャンネル２２４及び２３０上に独立に送信されるということを除いて図２と同様である。集積回路７０２において、ＣＭ検知器７０６はチャンネル２２４上のコモンモードが減少したかどうかを示す出力を供給する。ＣＭ検知器７０６の出力は比較器２４０によって基準（例えば、ＶＤＤ‐２５０ｍＶ）と比較されて、受信信号Ｊ‐ＲｘＤ１を供給する。同様に、ＣＭ検知器７０８の出力は比較器７１０によって基準（例えば、ＶＤＤ‐２５０ｍＶ）と比較されて、受信信号Ｊ‐ＲｘＤ２を供給する。比較器２４０及び７１０に対する基準電圧は同じであるか、あるいは相違する。ＣＭ検知器７０６及び７０８はＣＭ検知器２５２及び２５４と同様か、あるいは異なっている。
【００５４】
図８に、送信機を含む集積回路７２０と、受信機７２２を含む集積回路７３２と、ディスプレイ７３６及びスピーカ７３８を駆動する処理及び駆動回路７３０を示す。集積回路７２０及び７３２は、図２及び４〜７における集積回路の具体例である。これらの図ではビデオ信号が使用されることと関連付けて記載されているが、赤、緑、及び青のビデオ信号は他の形式の信号であってもよい。ここで記載されている集積回路は、ごく一例であるが、映像処理、マイクロプロセッサ、マイクロコントローラ、通信集積回路、メモリ集積回路、ＡＳＩＣなどが挙げられる。
【００５５】
上述の実施形態は、多くの変形において修正可能である。実際に、図面は事実上図式的なものであり、実際の回路配置表現の必然性を意図するものではない。さらに、実際の実施形態において、集積回路における多様な追加の電子回路が存在し、図面に例示された電子回路間にも電子回路を設けてもよい。例示されたコンポーネントは多様な追加の入力及び出力を有している。
【００５６】
代替的に、コモンモードは、Ｈｉｇｈ電圧対Ｌｏｗ電圧のＪ‐ＴｘＤに応答して減少させるのではなく増加させることもできる。受信されたＲｘ‐Ｒ及びＲｘ‐Ｇ信号は差動であるか又は終端信号である。Ｔｘ‐Ｒ＋＝Ｔｘ‐Ｒ−という場合があり得る。Ｊ‐ＴｘＤの信号に関わらず、いくつかのトランジスタ（例えば、Ｑ２３，Ｑ２４，Ｑ２７，及びＱ２８）をオフにする信号が存在する。この記載は、あるトランジスタが非常に低い抵抗を持っているということを意味する。他の実施形態において、より高い抵抗値を有することもできる。２つの別々の電流源が示されたとき（例えば、４５４及び４５６）、これらはより大きな１つの電流源に結合することができる。送信されるデータ信号には、実装に依存する様々な情報が含まれる。
【００５７】
異なる「いくつかの実施形態」への参照は、必ずしも同一の実施形態への参照であるということではない。もし、本明細書が、コンポーネント、機能、構造、又は特質について、「してもよい」、「かもしれない」、又は「であろう」という文言を含めて言及するならば、その特定のコンポーネント、機能、構造、又は特質が含まれることが必須とされるものではない。もし、明細書又は特許請求の範囲において不定冠詞構造として参照されている場合には、その構造が唯一存在するのものであることを意味するものではない。
【００５８】
本発明は、いくつかの実施形態に関して記載されたが、本発明は記載されたこれらの実施形態にのみ限定されるものではなく、添付された特許請求の範囲の趣旨及び適用範囲内での修正及び代替が可能である。したがって、本記載は限定的なものではなく例示的なものとして考えるべきである。
【図面の簡単な説明】
【００５９】
【図１】伝導体によって連結された第１及び第２の集積回路を含む従来システムのブロック図である。
【図２】本発明のいくつかの実施形態に基づく伝導体によって連結された第１及び第２の集積回路を含むシステムのブロック図である。
【図３】本発明のいくつかの実施形態において使用されるいくつかの信号を例示するタイミングチャートである。
【図４】本発明のいくつかの実施形態に基づく伝導体によって連結された第１及び第２の集積回路を含むシステムのブロック図である。
【図５】本発明のいくつかの実施形態に基づく伝導体によって連結された第１及び第２の集積回路を含むシステムのブロック図である。
【図６】本発明のいくつかの実施形態に基づく伝導体によって連結された第１及び第２の集積回路を含むシステムのブロック図である。
【図７】図２に類するが本発明のいくつかの実施形態に基づいた擬似差動的配置を伴った、伝導体によって連結された第１及び第２の集積回路を含むシステムのブロック図である。
【図８】本発明のいくつかの実施形態に基づいた送信機集積回路と受信機集積回路とディスプレイとオーディオスピーカーとを含むシステムのブロック図である。
【図１】
2008160858.tif 000004
【図２】
2008160858.tif 000005
【図３】
2008160858.tif 000006
【図４】
2008160858.tif 000007
【図５】
2008160858.tif 000008
【図６】
2008160858.tif 000009
【図７】
2008160858.tif 000010
【図８】
2008160858.tif 000011
【外国語明細書】
2008160858.tif 000012
2008160858.tif 000013
2008160858.tif 000014
2008160858.tif 000015
2008160858.tif 000016
2008160858.tif 000017
2008160858.tif 000018
2008160858.tif 000019
2008160858.tif 000020
2008160858.tif 000021
2008160858.tif 000022
2008160858.tif 000023
2008160858.tif 000024
2008160858.tif 000025
2008160858.tif 000026
2008160858.tif 000027
2008160858.tif 000028
2008160858.tif 000029
2008160858.tif 000030
2008160858.tif 000031
2008160858.tif 000032
2008160858.tif 000033
2008160858.tif 000034
2008160858.tif 000035
2008160858.tif 000036
2008160858.tif 000037
2008160858.tif 000038
2008160858.tif 000039
2008160858.tif 000040
2008160858.tif 000041